(57)【要約】【課題】確実に針刺し事故や感染を回避することのできる翼付針用プロテクタを提供する。【解決手段】尾端にチューブ６を備える翼付針１を収納する翼付針用プロテクタ７であって、略筒状のプロテクタ本体８の周壁を先端から軸線方向に沿って切り込んでスリット９を設けると共に、プロテクタ本体８の周壁を周方向に切り欠いて、両翼５が開いた状態で嵌合自在な翼用溝１０を該スリットに連続して設けた翼付針用プロテクタ７において、翼用溝１０の周方向の端縁１０ａをプロテクタ本体８の先端に向かってスリット９から離間する方向に傾斜する傾斜縁に形成すると共に、スリット９に対向するプロテクタ本体８の周壁部分の先端にチューブ係止部１１を形成し、プロテクタ本体８の尾端からプロテクタ本体８のスリット９側の外面に沿ってプロテクタ本体８の先端側に折り返されたチューブ６をチューブ係止部１１に係止自在とする。【選択図】  図１
2004248993.tif 000002
【特許請求の範囲】
【請求項１】
中空針と、該中空針の尾端を保持する保持筒と、該保持筒と一体に形成された可撓性の一対の翼と、保持筒の尾端に接続されたチューブとを備える翼付針を収納する翼付針用プロテクタであって、略筒状のプロテクタ本体の周壁を先端から軸線方向に沿って切り込んで、前記中空針より長く、かつ、前記両翼を合掌状態で押し込み自在なスリットを設けると共に、該プロテクタ本体の周壁を周方向に部分的に切り欠いて、前記両翼が開いた状態で嵌合自在な翼用溝を該スリットに連続して設けた翼付針用プロテクタにおいて、
翼用溝の周方向の端縁をプロテクタ本体の先端に向かってスリットから離間する方向に傾斜する傾斜縁に形成すると共に、該スリットに対向するプロテクタ本体の周壁部分の先端にチューブ係止部を形成し、プロテクタ本体の尾端からプロテクタ本体のスリット側の外面に沿ってプロテクタ本体の先端側に折り返されたチューブをチューブ係止部に係止自在とすることを特徴とする翼付針用プロテクタ。
【請求項２】
プロテクタ本体の尾端部にスリットの延長線上に位置させて、チューブが係合するチューブ係合部を形成することを特徴とする請求項１記載の翼付針用プロテクタ。
【請求項３】
翼用溝の尾端側の側縁に、スリットに向けて舌片状に張り出して、スリットから合掌状態で押し込まれる両翼間に差し込まれる突部を形成することを特徴とする請求項１又は２記載の翼付針用プロテクタ。
【発明の詳細な説明】
【０００１】
【発明の属する技術分野】
本発明は、採血等の医療行為に使用される翼付針のプロテクタに関する。
【０００２】
【従来の技術】
従来、中空針と、該中空針の尾端を保持する保持筒と、該保持筒と一体に形成された一対の翼と、保持筒の尾端に接続されたチューブとを備える翼付針が点滴等の医療行為に使用されている。医療行為者は両翼を合掌状態にして挟持し、中空針を患者の血管に穿入し、しかる後に両翼を拡げて粘着テープにより患者の皮膚に貼り付けて中空針を固定する。そして、チューブから中空針を介して患者への点滴等を行う。使用済みとなった翼付針は患者から取り外されて廃棄されるが、中空針がむき出しになっていると廃棄処理を行う者が中空針に刺されたり、触れたりして病原菌などに感染するおそれがある。
【０００３】
このような針刺し事故や感染を回避するための翼付針用プロテクタとして以下のものが知られている。即ち、このプロテクタには、略筒状のプロテクタ本体の周壁を先端から軸線方向に沿って切り込んで、前記中空針より長く、かつ、前記両翼を合掌状態で押し込み自在なスリットを設けると共に、該プロテクタ本体の周壁を周方向に部分的に切り欠いて、前記両翼が開いた状態で嵌合自在な翼用溝を該スリットに連続して設けられている（例えば、特許文献１参照。）。
【０００４】
かかる翼付針用プロテクタによれば、翼がスリットの先端から後方に徐々に摺動して挿入され、これに伴い中空針も徐々に後方に移動してプロテクタ本体内に収納される。しかしながら、翼が他の医療器具等に引っかかる等して翼に力が加わり、この力でスリットから中空針が突出し、また、両翼が翼用溝から浮き出して、針刺し事故や感染が起こるおそれが残る。
【０００５】
【特許文献１】
特開平１１−３１９０８６号公報（第２−３頁、第２図）
【０００６】
【発明が解決しようとする課題】
本発明は上記背景を鑑みてなされたものであり、確実に針刺し事故や感染を回避することのできる翼付針用プロテクタを提供することを目的とする。
【０００７】
【課題を解決するための手段】
上記目的を達成するため、本発明では、中空針と、該中空針の尾端を保持する保持筒と、該保持筒と一体に形成された可撓性の一対の翼と、保持筒の尾端に接続されたチューブとを備える翼付針を収納する翼付針用プロテクタであって、略筒状のプロテクタ本体の周壁を先端から軸線方向に沿って切り込んで、前記中空針より長く、かつ、前記両翼を合掌状態で押し込み自在なスリットを設けると共に、該プロテクタ本体の周壁を周方向に部分的に切り欠いて、前記両翼が開いた状態で嵌合自在な翼用溝を該スリットに連続して設けた翼付針用プロテクタを以下の如く改良している。
【０００８】
即ち、本発明は、翼用溝の周方向の端縁をプロテクタ本体の先端に向かってスリットから離間する方向に傾斜する傾斜縁に形成すると共に、該スリットに対向するプロテクタ本体の周壁部分の先端にチューブ係止部を形成し、プロテクタ本体の尾端からプロテクタ本体のスリット側の外面に沿ってプロテクタ本体の先端側に折り返されたチューブをチューブ係止部に係止自在とすることを特徴とする。
【０００９】
かかる構成によれば、両翼を合掌状態に把持してスリットに差し入れ、両翼をスリットの後方に摺動させ、翼用溝で両翼の合掌状態を解除すると、両翼は翼用溝に嵌合する。チューブはプロテクタ本体の尾端を介して先端方向へ折り返され、スリット上に配置される。そして、チューブはチューブ係止部により係止される。
【００１０】
これにより、プロテクタ本体内に収納された翼付針の尾端は、プロテクタ本体の尾端で折り返されたチューブにより、スリット側の周壁方向へ持ち上げられると共に、翼用溝の傾斜縁が翼を傾斜して配置するように案内する。従って、翼付針の先端は、スリットと対向する周壁方向に傾いて配置され、スリットから翼付針が突出することはない。また、チューブは、スリット上に配置されるため、スリットは、チューブにより閉塞される。これにより、確実にスリットからの翼付針の突出を防止することができる。
【００１１】
また、プロテクタ本体の尾端部にスリットの延長線上に位置させて、チューブが係合するチューブ係合部を形成することが好ましい。これによれば、チューブがプロテクタ本体の尾端で周方向にずれないため、チューブをスリット上に安定して配置することができる。よって、チューブがスリット上から周方向にずれることによる、チューブによるスリットの閉塞が解除されることがなく、より確実にスリットからの翼付針の突出を防止することができる。
【００１２】
さらに、翼用溝の尾端側の側縁に、スリットに向けて舌片状に張り出して、スリットから合掌状態で押し込まれる両翼間に差し込まれる突部を形成することが好ましい。これによれば、翼用溝からプロテクタの径方向外方に翼付針が飛び出ることが確実に防止される。
【００１３】
【発明の実施の形態】
本発明の実施の形態を図１から図３を参照して説明する。図１は、本実施形態の翼付針用プロテクタ及び翼付針の斜視図、図２は、本実施形態の留置針を収納する状態を示す説明図、図３は、チューブをチューブ係止部に係止させた状態を示す説明的断面図である。
【００１４】
図１に示すように翼付針１には、傾斜した刃面２を先端に有する略円筒状の中空針３と、該中空針３の尾端を保持する略円筒状の保持筒４と、該保持筒４の径方向に対称に一体に形成され軟性の樹脂からなる一対の翼５，５とが設けられている。翼付針１は保持筒４の尾端に接続するチューブ６を介して図示しない医療器具に接続されている。
【００１５】
翼付針用プロテクタ７は、略円筒状の合成樹脂製のプロテクタ本体８を備えている。プロテクタ本体８には、周壁をその先端から軸線方向に沿って切り込んで一本のスリット９が設けられている。また、スリット９の後方には、該周壁を周方向に部分的に切り欠いて、スリット９に連続する翼用溝１０が設けられている。翼用溝１０の周方向の端縁１０ａは、プロテクタ本体８の先端に向かってスリット９から離間する方向に傾斜する傾斜縁に形成されている。スリット９の先端部には、先端に向かって拡幅する拡幅部９ａが形成されている。また、スリット９は、両翼５，５を合掌させた際の厚さよりやや狭い幅に形成されている。
【００１６】
プロテクタ本体８の先端は、スリット９に対向する周壁部がスリット９の先端の拡幅部９ａより先方に突出するように、斜めにカットされている。そして、スリット９に対向する周壁部の先端部分に、チューブ係止部１１を形成している。チューブ係止部１１は、切欠部１１ａと、円状係止孔１１ｂとからなる。切欠部１１ａは、プロテクタ本体８の先端から軸線方向にチューブ６の直径より狭い幅で切り欠いて形成する。また、円状係止孔１１ｂは、切欠部１１ａの尾端に連続する、切欠部１１ａの幅より大きく、かつチューブ６の直径より若干小さい直径の孔からなる。
【００１７】
翼用溝１０の尾端側の側縁には、スリット９に向けて舌片状に突部１２が張り出している。突部１２の先端は先細に形成されている。また、図２に示すように、プロテクタ本体８の尾端部には、スリット９の延長線上に位置し、周方向にずれないようにチューブが係合するチューブ係合部１３が形成されている。チューブ係合部１３は、チューブ６の周面部を受け入れる溝状に形成されている。また、チューブ係合部１３は、図３に示すように、プロテクタ本体８の尾端に向かって次第に溝が深くなるよう形成されている。
【００１８】
前記構成の翼付針１によれば、図示しないが、両翼５，５は合掌状態で把持され、中空針３は刃面２を上に向けて患者の血管に穿入される。そして、両翼５，５は拡げられて粘着テープにより患者の皮膚に張り付けられ、翼付針１が固定される。しかる後、中空針３及びチューブ６を介して図示しない医療器具により採血等の医療行為が行われる。
【００１９】
医療行為後の翼付針１は患者から取り外されて廃棄されるが、廃棄に先立って翼付用プロテクタ７に収納される。これについて図２、図３を用いて説明する。
【００２０】
まず、図２に示すように、両翼５，５を合掌状態に把持してスリット９に差し入れる。これにより、スリット９は両翼５，５の厚さに応じて開く。スリット９の先端部には、拡幅部９ａが設けられているので、合掌状態の両翼５，５を滑らかにスリット９に差し入れることができる。両翼５，５をスリット９の後方に摺動させると、翼用溝１０に差し掛かった位置で、両翼５，５の間に突部１２の先端が差し込まれ、両翼５，５が強制的に拡げられる。そして、両翼５，５をさらに後方へ摺動させることにより、両翼５，５は翼用溝１０と嵌合する。チューブ６は、図３に示すように、チューブ係合部１３を介してプロテクタ本体８の先端方向に折り返され、スリット９上に配置される。そして、拡幅部９ａを通過しチューブ係止部１１で係止される。
【００２１】
本実施形態の翼付針用プロテクタ７によれば、プロテクタ本体８内に収納された翼付針１の尾端は、プロテクタ本体８の尾端で折り返されたチューブ６により、スリット９側の周壁方向へ持ち上げられると共に、翼用溝１０の傾斜している端縁１０ａが翼５，５を傾斜して配置するように案内する。従って、翼付針１の先端は、スリット９と対向する周壁方向に傾いて配置され、スリット９から翼付針１が突出することはない。また、チューブ６は、スリット９上に配置されるため、スリット９は、チューブ６により閉塞される。これにより、確実にスリット９からの翼付針１の突出を防止することができる。
【００２２】
また、チューブ係合部１３によりチューブ６がプロテクタ本体８の尾端で周方向にずれないため、チューブ６をスリット９上に安定して配置することができる。これにより、チューブ６がスリット９上から周方向にずれて、チューブ６によるスリット９の閉塞が解除されることがなく、より確実にスリット９からの翼付針１の突出を防止することができる。また、チューブ係合部１３の溝の深さの分だけ、チューブ６がプロテクタ本体８内でより一層傾斜する。よってこれに伴い翼付針用プロテクタ７内に収納された翼付針１をより一層傾斜させることができる。
【００２３】
さらに、本翼付用プロテクタ７によれば、突部１２により、一旦収納された翼付針１が翼用溝１０から径方向外方に飛び出ることを防止する。また、翼付針１がスリット９と対向する周壁方向に傾いて収納されるため、スリット９を幅広に形成することができる。これにより、合掌させた両翼５，５をスリット９に挿入する操作が容易となる。また、プロテクタ本体８の材質も撓み難いものを選択自在となる。
【図面の簡単な説明】
【図１】本実施形態の翼付針用プロテクタ及び翼付針の斜視図。
【図２】留置針を収納する状態を示す説明図。
【図３】チューブをチューブ係止部に係止させた状態を示す説明的断面図。
【符号の説明】
１…翼付針、  ２…刃面、  ３…中空針、  ４…保持筒、  ５…翼、  ６…チューブ、  ７…翼付針用プロテクタ、  ８…プロテクタ本体、  ９…スリット、  １０…翼用溝、  １１…チューブ係止部、  １２…突部、  １３…チューブ係合部。
【図１】
2004248993.tif 000003
【図２】
2004248993.tif 000004
【図３】
2004248993.tif 000005